(57)【要約】【課題】酸素富化空気を色々な使用状況に対応して供給可能な形態を実現する酸素富化機の提供を目的とするものである。【解決手段】移動車２７の乗車部内２７ａに搬入または移動車２７に常設し、空気中の酸素濃度を高める酸素富化手段を有する本体１と、前記本体１で形成された酸素富化空気を吐出する酸素富化空気吐出手段８とを備え、前記酸素富化空気吐出手段８からの酸素富化空気が、前記移動車の乗車部内２７ａに吐出される構成としたもので、使用者が酸素富化空気を利用でき、使用者の乗車中の眠気の解消および気分を壮快できるようにするものである。【選択図】  図２
2004229883.tif 000002
【特許請求の範囲】
【請求項１】
移動車の乗車部内に搬入または移動車に常設し、空気中の酸素濃度を高める酸素富化手段を有する本体と、前記本体で形成された酸素富化空気を吐出する酸素富化空気吐出手段とを備え、前記酸素富化空気吐出手段からの酸素富化空気が、前記移動車の乗車部内に吐出される構成とした酸素富化機。
【請求項２】
酸素富化空気吐出手段を、移動車の利用者の口元に向かって吐出する位置に設けた請求項１記載の酸素富化機。
【請求項３】
酸素富化機の駆動電源は、移動車のＤＣ電源から一旦ＡＣ電源に変換して供給する請求項１または２記載の酸素富化機。
【請求項４】
空気中の酸素濃度を高める酸素富化手段を有する本体と、前記本体で形成された酸素富化空気を吐出する酸素富化空気吐出手段と、機器を駆動させる駆動電源とを備え、前記駆動電源として二次電池を有する酸素富化機。
【請求項５】
乗車部外の空気を本体内に吸引し、前記吸引した空気を酸素富化手段によって酸素濃度を高める請求項１または２記載の酸素富化機。
【請求項６】
空気中の酸素濃度を高める酸素富化手段を有する本体と、前記本体で形成された酸素富化空気を吐出する酸素富化空気吐出手段とを備え、前記酸素富化空気吐出手段を、使用者が頭部を覆う袋状に形成した酸素富化機。
【請求項７】
空気中の酸素濃度を高める酸素富化手段を有する本体と、前記本体で形成された酸素富化空気を吐出する酸素富化空気吐出手段とを備え、前記酸素富化空気吐出手段を、使用者が横たわった状態において、前記使用者の頭部を包囲する箱状に形成した酸素富化機。
【請求項８】
空気中の酸素濃度を高める酸素富化手段を有する本体と、前記本体で形成された酸素富化空気を吐出する酸素富化空気吐出手段とを備え、前記酸素富化空気吐出手段は、使用者が卓前に座った状態で、使用者の顔前の空間を囲うとともに、前記卓上に設置可能に形成した酸素富化機。
【請求項９】
浴室内に搬入または浴室外に常設し、空気中の酸素濃度を高める酸素富化手段を有する本体と、前記本体で形成された酸素富化空気を吐出する酸素富化空気吐出手段とを備え、前記酸素富化空気吐出手段を前記浴室内に設けた酸素富化機。
【請求項１０】
浴室外の空気を本体内に吸引し、前記吸引した空気を酸素富化手段によって酸素濃度を高める請求項９記載の酸素富化機。
【発明の詳細な説明】
【０００１】
【発明の属する技術分野】
本発明は、酸素富化手段を用いて得られる、いわゆる酸素富化空気を使用者に提供する酸素富化機に関するものである。
【０００２】
【従来の技術】
従来の酸素富化機としては、空気中の酸素を濃縮して酸素富化空気を発生させる装置本体と、これに接続された酸素吐出口と、音声発生源と、ヘッドホンタイプの音声出力部等からなり、前記酸素吐出口と前記音声出力部を一体にし、前記酸素吐出口を人体の口の部分に位置させることで酸素吸入できるようにしてある（例えば、特許文献１参照）。
【０００３】
【特許文献１】
特開平３−６３０６７号公報
【０００４】
【発明が解決しようとする課題】
しかしながら前記従来の構成は、一般の住宅内で頭部に装着した酸素吐出口から集中して酸素富化空気が送られる部分を使用者の呼吸器の近傍に置くことによって、比較的濃度の高い酸素富化空気を吸込むことを目的としているが、使用状況に応じて扱い難い状態が発生し、使用状態が制限されるという問題があった。
【０００５】
本発明は、前記従来の課題を解決するもので、酸素富化空気を色々な使用状況に対応して供給可能な形態を実現する酸素富化機の提供を目的とするものである。
【０００６】
【課題を解決するための手段】
前記従来の課題を解決するために本発明は、移動車の乗車部内に搬入または移動車に常設し、空気中の酸素濃度を高める酸素富化手段を有する本体と、前記本体で形成された酸素富化空気を吐出する酸素富化空気吐出手段とを備え、前記酸素富化空気吐出手段からの酸素富化空気が、前記移動車の乗車部内に吐出される構成としたもので、一般住宅内だけでなく、自動車を運転している状態や電車や飛行機等の移動車に乗車している状態でも、使用者が酸素富化空気を利用でき、使用者の乗車中の眠気の解消および気分を壮快できるようにするものである。
【０００７】
【発明の実施の形態】
請求項１に記載の発明は、移動車の乗車部内に搬入または移動車に常設し、空気中の酸素濃度を高める酸素富化手段を有する本体と、前記本体で形成された酸素富化空気を吐出する酸素富化空気吐出手段とを備え、前記酸素富化空気吐出手段からの酸素富化空気が、前記移動車の乗車部内に吐出される構成としたもので、一般住宅内だけでなく、自動車を運転している状態や電車や飛行機等の移動車に乗車している状態でも、使用者が酸素富化空気を利用でき、使用者の乗車中の眠気の解消および気分を壮快できるようにするものである。
【０００８】
請求項２に記載の発明は、酸素富化空気吐出手段を、移動車の利用者の口元に向かって吐出する位置に設けたもので、使用者の酸素富化空気の吸引量が増加し、一層、自動車を運転している状態や電車や飛行機等の移動車に乗車している状態でも、使用者が酸素富化空気を利用でき、使用者の乗車中の眠気の解消および気分を壮快できるようにするものである。
【０００９】
請求項３に記載の発明は、酸素富化機の駆動電源は、移動車のＤＣ電源から一旦ＡＣ電源に変換して供給するもので、一般家庭用の酸素富化機を容易に、移動用車両内、特に自動車の乗車部内で使用できるものである。
【００１０】
請求項４に記載の発明は、空気中の酸素濃度を高める酸素富化手段を有する本体と、前記本体で形成された酸素富化空気を吐出する酸素富化空気吐出手段と、機器を駆動させる駆動電源とを備え、前記駆動電源として二次電池を有するもので、携帯用として使用できることで、特に移動車の乗車部内に搬入して使用する場合には、使用性を向上できるものである。
【００１１】
請求項５に記載の発明は、乗車部外の空気を本体内に吸引し、前記吸引した空気を酸素富化手段によって酸素濃度を高めるもので、締めきった移動車の乗車部内においても、使用者に酸素富化空気を供給できる。
【００１２】
請求項６に記載の発明は、空気中の酸素濃度を高める酸素富化手段を有する本体と、前記本体で形成された酸素富化空気を吐出する酸素富化空気吐出手段とを備え、前記酸素富化空気吐出手段を、使用者が頭部を覆う袋状に形成したもので、器具を装着した圧迫感がなく、緩やかに呼吸気内の酸素濃度を高めることができる。
【００１３】
請求項７に記載の発明は、空気中の酸素濃度を高める酸素富化手段を有する本体と、前記本体で形成された酸素富化空気を吐出する酸素富化空気吐出手段とを備え、前記酸素富化空気吐出手段を、使用者が横たわった状態において、前記使用者の頭部を包囲する箱状に形成したもので、就寝状態でも酸素富化した空気を効率良く吸入することができる。
【００１４】
請求項８に記載の発明は、空気中の酸素濃度を高める酸素富化手段を有する本体と、前記本体で形成された酸素富化空気を吐出する酸素富化空気吐出手段とを備え、前記酸素富化空気吐出手段は、使用者が卓前に座った状態で、使用者の顔前の空間を囲うとともに、前記卓上に設置可能に形成したもので、卓上の狭い空間の酸素濃度を上げて吸入する空間を容易に作ることができるものである。
【００１５】
請求項９に記載の発明は、浴室内に搬入または浴室外に常設し、空気中の酸素濃度を高める酸素富化手段を有する本体と、前記本体で形成された酸素富化空気を吐出する酸素富化空気吐出手段とを備え、前記酸素富化空気吐出手段を前記浴室内に設けたもので、新陳代謝を促進する酸素富化の効果を高めることができるものである。
【００１６】
請求項１０に記載の発明は、浴室外の空気を本体内に吸引し、前記吸引した空気を酸素富化手段によって酸素濃度を高めるもので、締めきった浴室内においても、使用者に酸素富化空気を供給できる。
【００１７】
【実施例】
以下、本発明の一実施例について図面を用いて説明する。
【００１８】
図１において、酸素富化機本体（以下、本体と称す）１の内部には、前記本体１内に吸引した空気の酸素の濃度を高め、いわゆる酸素富化空気を発生する酸素富化手段である酸素富化膜ユニット２を内設している。前記酸素富化膜ユニット２を通過することで空気の酸素濃度は、通過前の通常の約２１％（窒素約７９％）から、約３０％（窒素約７０％）に高められる。
【００１９】
また本体１の内部には、本体１の背面に設けた吸気口３から前記本体１内に外気を吸気手段２６により吸引し、酸素富化膜ユニット２に送り、酸素富化膜ユニット２が有する酸素富化膜（図示せず）を通過しない空気は、本体１の側面に設けた排気口４から外部に排出する。５は前記本体１内に吸引した空気の一部を、酸素富化膜ユニット２が有する酸素富化膜（図示せず）を通過させる吸引手段であるポンプで、本体１の側面に設けられた吐出口６と連結され、さらに前記吐出口６に連結された酸素富化空気配管７に酸素富化された空気を送り込んでいる。
【００２０】
さらに、酸素富化空気配管７に送られた酸素富化空気は、前記酸素富化空気配管７に連結され、使用者に酸素富化空気を供給する吐出口９を有する酸素富化空気吐出手段８を用いて、使用者の口元に前記酸素富化空気を供給する構成となっている。
【００２１】
図２に示すように、本体１を自動車の乗車部内２７ａに搬入し、自動車２７を運転しながら酸素富化された空気を吸引すると、覚醒感が向上し眠気がすっきりする効果がある。使用方向としては、前記酸素富化空気吐出手段８を頭部に装着して運転しても良いし、また、別の方法として、前記酸素富化空気吐出手段８が有する吐出口９を、運転席の近傍の乗車部内２７ａに酸素富化空気配管７を介して取りつけて、前記吐出口９を運転車の口元に向かって設置しても良い。この場合は、乗車降車においても、酸素富化空気吐出手段８を使用者が着脱する必要がないので、使用性が特に高い。
【００２２】
本体１を駆動する電源は、図３のように一般住宅内のＡＣ電源コンセントから供給され、ポンプ５等を制御回路１１を介して運転する。図４のように自動車２７のシガーライター１２から取り込んだＤＣ電源を、家庭用のＡＣ電源に近い状態に変換するアダプター１３を介して供給することもできる。この時、コネクタ１４で分割・接続が可能にすることにより、一般住宅内と自動車２７のどちらでも使用でき、吐出口９は使用者が口元で使用するもので、自分の吐出口９を他の人に使わせたくない場合にも、一般住宅内と自動車２７でも同一の本体１を使用でき、２台の本体１を購入するよりも安価である。
【００２３】
図５のように電源に使用者が充電できる二次電池１５を用い、制御回路１６を介してＤＣ用ポンプ５ａを運転するものとし、自動車２７の電源にはコネクタ１７を利用して接続し、一般住宅用家庭電源にはコネクタ１４を利用して使用できるとともに、二次電池１５を充電できるようにすることによって、二次電池１５が充電された状態ではコネクタ１７の接続を外した状態でも使用できる。
【００２４】
図６では、自動車の乗車部外２７ｂに組み込んだ本体１の吸気口３は、乗車部外２７ｂの空気（外気）を吸引し、酸素富化空気配管７を通して、乗車部内２７ａ内に酸素富化空気吐出手段８の吐出口９を配設しており、自動車２７の走行により吸気を促進できるとともに、換気が不充分な状態でも乗車部内２７ａ内の酸素濃度の低下を補うことができる。なお、本実施例においては、自動車２７について述べたが、自動車２７以外の電車や飛行機等の移動車においても同様の効果を有するものである。
【００２５】
次に、図７〜図９に示すものは、本体１（図示せず）は前記の酸素富化機と同様であるが、使用者が酸素富化空気を吸引するための酸素富化空気吐出手段８の形態が異なっている。
【００２６】
図７に示す酸素富化空気吐出手段は、使用者が頭に被っている帽子のつばから降ろした袋状のベールである空気遮断膜２０で、前記空気遮断膜２０内と酸素富化空気配管７とを連通する構成である。ベールの下部を適当に絞ることにより、ベールの内部の空気の酸素濃度を特に上昇することができる。
【００２７】
図８に示す酸素富化空気吐出手段は、横たわった使用者の頭部を四方から囲む箱体２１で、前記箱体２１内と酸素富化空気配管７とを連通する構成である。前記箱体２１の内部に頭を置くことで、使用者の呼吸器に吸入される空気の酸素濃度を特に上昇することができる。
【００２８】
図９に示す酸素富化空気吐出手段は、机上に置いた使用者の略前方を覆う折りたたみ可能な仕切部材２２で、前記仕切部材２２と酸素富化空気配管７とを連通する構成である。前記仕切部材２２により使用者の顔面に向けて酸素富化空気を吐出することで、使用者の呼吸空間の酸素濃度を特に上昇することができる。室内に酸素富化空気を吐出する場合に比べて、区画された狭い空間への高酸素濃度空気の吐出させることで、使用者近傍の空間の酸素濃度を高めることができ、小型であっても酸素濃度の高い空間を形成できる酸素富化機となる。
【００２９】
図１０のように、浴室２３の内部２３ａに、酸素富化空気の酸素富化空気吐出手段８が有する吐出口９を設けることにより、一般に新陳代謝効果の高い入浴状態で吸入する浴室内の空気の酸素濃度を上げることができ、更に代謝の効果を向上させることができるものである。このとき、本体１は浴室２３の内部２３ａに搬入してもよいし、また、浴室２３の外に置いたときには、浴室２３の外の空気を本体１内に吸引し、前記吸引した空気を酸素富化手段によって酸素濃度を高めるもので、締めきった浴室内２３ａにおいても、使用者に酸素富化空気を供給できるものである。
【００３０】
次に、本体１の動作について図１、図２を用いて説明する。
【００３１】
制御回路１１、１６ではタイマー（図示せず）で運転時間（１０分、２０分、３０分のいずれか１つ）を設定し、運転スイッチ２４を操作すると、防振材（図示せず）を介して取り付けたポンプ５に動作電源を供給する制御手段が動作し、通電状態を示すランプ２５が点灯するとともに、タイマーで設定した時間に応じてポンプ５が運転し、酸素富化空気は使用者に酸素富化空気吐出手段８より吐出される。
【００３２】
【発明の効果】
以上のように本発明によれば、酸素富化空気を色々な使用状況に対応して供給可能な形態を実現する酸素富化機を提供できる。
【図面の簡単な説明】
【図１】（ａ）本発明の一実施例における本体の正面図
（ｂ）同本体の側面図
（ｃ）同本体の後面図
（ｄ）同本体の上面図
（ｅ）同本体の側断面図
【図２】本発明の一実施例における自動乗車部内での使用状態を示す部分断面図
【図３】同駆動回路のブロック構成図
【図４】同他の駆動回路のブロック構成図
【図５】同他の駆動回路のブロック構成図
【図６】同自動乗車部内での他の使用状態を示す部分断面図
【図７】同酸素富化空気吐出手段の使用形態を表す外観斜視図
【図８】同他の酸素富化空気吐出手段の使用形態を表す外観斜視図
【図９】同他の酸素富化空気吐出手段の使用形態を表す外観斜視図
【図１０】同浴室内での使用状態を示す部分断面図
【符号の説明】
１  本体
２  酸素富化膜ユニット（酸素富化手段）
８  酸素富化空気吐出手段
２７  自動車（移動車）
２７ａ  乗車部内
【図１】
2004229883.tif 000003
【図２】
2004229883.tif 000004
【図３】
2004229883.tif 000005
【図４】
2004229883.tif 000006
【図５】
2004229883.tif 000007
【図６】
2004229883.tif 000008
【図７】
2004229883.tif 000009
【図８】
2004229883.tif 000010
【図９】
2004229883.tif 000011
【図１０】
2004229883.tif 000012